(57)【要約】【課題】絶縁層に形成された複数の表示電極に対する所定の電荷の選択的な付与状態に応じた色を外部から視認させることにより情報を表示する場合に、所定の電荷が付与された表示電極による情報のみを明確に視認させる。【解決手段】所定の電荷が付与されることにより情報を表示するための表示電極１０ａ〜１０ｑが形成されたレジスト層４０が、表示電極１０ａ〜１０ｑのうち背景となる表示電極１０ａがディスプレイ部２にて外部から視認される色に着色されている。【選択図】図２
2009133885.tif 000002
【特許請求の範囲】
【請求項１】
絶縁層と、
前記絶縁層の一方の面上に、表示される情報に応じたパターンで形成された複数の情報形成用表示電極と、
前記絶縁層の一方の面上に、前記複数の情報形成用表示電極の周囲に形成された背景用表示電極と、
前記絶縁層の他方の面上に、該絶縁層に形成された導通部を介して前記複数の情報形成用表示電極にそれぞれ接続されて形成され、前記複数の情報形成用表示電極に選択的に所定の電荷を付与するための複数の配線電極と、
前記絶縁層の前記情報形成用表示電極及び前記背景用表示電極が形成された面に積層され、前記複数の情報形成用表示電極に対する前記所定の電荷の選択的な付与状態に応じた色を外部から視認させることによって情報を表示する情報表示層とを有し、
前記絶縁層は、少なくとも前記情報形成用表示電極及び前記背景用表示電極が形成されていない領域が、前記情報表示層の前記背景用表示電極に対向する領域にて視認される色に着色されている表示装置。
【請求項２】
請求項１に記載の表示装置の製造方法であって、
剥離基材上に前記パターンの形状に導電性材料を塗布することにより前記複数の情報形成用表示電極及び前記背景用表示電極を形成する工程と、
前記複数の情報形成用表示電極及び前記背景用表示電極が形成された剥離基材上に、前記複数の情報形成用表示電極及び前記背景用表示電極のそれぞれの一部の領域を除く全面に絶縁性材料を塗布することにより前記領域に穴部を具備する絶縁層を形成する工程と、
前記絶縁層上に、前記穴部を含む所定のパターンの形状に導電性材料を塗布することにより、前記穴部に前記導電性材料を流し込んで前記導通部を形成するとともに、前記複数の配線電極を形成する工程と、
前記剥離基材を前記情報形成用表示電極、前記背景用表示電極及び前記絶縁層から剥離する工程と、
前記絶縁層の前記情報形成用表示電極及び前記背景用表示電極が形成された面に前記情報表示層を積層する工程とを有する、表示装置の製造方法。
【発明の詳細な説明】
【技術分野】
【０００１】
本発明は、電極に選択的に所定の電荷が与えられることにより所望の情報を表示する表示装置及びその製造方法に関し、特に、表示される情報の視認性向上技術に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する電子ペーパーが普及しはじめている。電子ペーパーは、互いに対向する２つの電極間に、この２つの電極に与えられた電荷によりその状態が変化する物質を介在させ、その物質の状態を用いて情報を表示するものである。このような電子ペーパーは、紙のように薄いために携帯がしやすいとともに、消費電力が少なく、また視野角が広く、さらには、電極に与える電荷によって表示される情報を書き換えることができるとともに、電源を切断した場合でも表示内容を保持できることから、今後のさらなる普及が予想される。
【０００４】
図５は、一般的な電子ペーパーの積層構造を示す図である。
【０００５】
一般的な電子ペーパーは図５に示すように、情報が表示されるディスプレイ部１０２と、ディスプレイ部１０２に情報を表示するための表示装置用電極基板１０１とが積層されて構成されている。
【０００６】
ディスプレイ部１０２は、ガラス等からなる透明基板１７１の一方の面に透明電極（例えば、ＩＴＯ：Indium Tin Oxide）１７２が形成されてなる透明導電膜基板１７０と、枠材１８１及び隔壁１８２と、これら枠材１８１及び隔壁１８２で囲まれた領域に収容された隔壁内液体１８３とから構成されており、隔壁内液体１８３には、帯電性粒子１８４が分散している。
【０００７】
表示装置用電極基板１０１は、保護基材１６０と、保護基材１６０上に形成された複数の配線電極１３０と、この配線電極１３０と接続され、絶縁層１４０上に、透明導電膜基板１７０上に表示される情報に応じたパターンで形成された複数の表示電極１１０とから構成されており、配線電極１３０と表示電極１１０とは、絶縁層１４０に形成された導通部１２０を介して電気的に接続されている。
【０００８】
ディスプレイ部１０２と表示装置用電極基板１０１とは、透明電極１７２と表示電極１１０とが、枠材１８１及び隔壁１８２で囲まれた領域に収容された隔壁内液体１８３を介して対向するように積層されている。
【０００９】
上記のように構成された電子ペーパーにおいては、配線電極１３０によって表示電極１１０に選択的に電荷が付与されると、隔壁内液体１８３内にて帯電性粒子１８４がクーロン力で移動し、表示電極１１０と透明電極１７２のいずれか一方の側に付着する。そして、隔壁内液体１８３が染料または顔料で着色されており、帯電性粒子１８４が高屈折率の光散乱成分を含むため、ディスプレイ部１０２側から観察した場合、表示電極１１０側に帯電性粒子１８４が付着した領域が着色された状態に見え、また、透明電極１７２側に帯電性粒子１８４が付着した領域が白色に見え、この着色された領域と白色の領域とによって所望の情報が表現されて見えるようになる。
【００１０】
上述した電子ペーパーは、例えば、絶縁層１４０としてＰＥＴ（ポリエチレンテレフタレート）が用いられる。ところが、絶縁層１４０としてＰＥＴを用いた場合、製造工程において、導通部１２０を形成する際に、まず絶縁層１４０に穴を形成することになるが、この穴の微細加工が難しく、また、穴の周辺にバリ等が生じてしまい、電極間の導通を妨げてしまうことがある。また、加工や導通を確実にするために穴径を大きくする場合には穴跡が表示に現れ、表示される情報が見にくくなってしまうことがある。
【００１１】
そこで、近年においては、配線電極１３０が形成された保護基材１６０上に絶縁性材料を印刷製法で塗布することにより、絶縁層１４０を形成することが行われている。以下に、図５に示した電子ペーパーの従来の製造方法について説明する。
【００１２】
まず、保護基材１６０上に導電性材料を印刷製法で塗布することにより配線電極１３０を形成する。
【００１３】
次に、配線電極１３０が形成された保護基材１６０上に、配線電極１３０の導通部１２０が形成される領域を除く全面に絶縁性材料を印刷製法で塗布することにより絶縁層１４０を形成する。
【００１４】
次に、絶縁層１４０上において、絶縁層１４０が形成されていない領域を含み、表示される情報に応じたパターンの形状に導電性材料を印刷製法で塗布することにより複数の表示電極１１０を形成し、表示装置用電極基板１０１を完成させる。
【００１５】
その後、表示装置用電極基板１０１の表示電極１１０が形成された面側に、透明電極１７２と表示電極１１０とが、枠材１８１及び隔壁１８２で囲まれた領域に収容された隔壁内液体１８３を介して対向するようにディスプレイ部１０２を積層し、電子ペーパーを完成させる。
【発明の開示】
【発明が解決しようとする課題】
【００１６】
図６は、図５に示した電子ペーパーの表示状態を説明するための図であり、（ａ）は表示状態を示す図、（ｂ）は（ａ）に示した２つの表示電極１１０ａ，１１０ｂの境界部分の断面図である。
【００１７】
図５に示した電子ペーパーは、１７個の表示電極１１０ａ〜１１０ｑを用いて数字を表示するものであって、表示電極１１０ｂ，１１０ｃによって２つのセグメントからなる表示部と、表示電極１１０ｄ〜１１０ｊによって７つのセグメントからなる表示部と、表示電極１１０ｋ〜１１０ｑによって７つのセグメントからなる表示部とからなり、この表示電極１１０ｂ〜１１０ｑと、数字の背景となる表示電極１１０ａとに対する電荷の付与状態によって、“０”〜“１９９”までの数字を表示することができる。
【００１８】
そして、図６に示したものにおいては、表示電極１１０ｅ〜１１０ｉ，１１０ｋ〜１１０ｑが情報を表示するための表示電極として選択されてプラスの電荷が付与され、また、表示電極１１０ａ〜１１０ｄ，１１０ｊにマイナスの電荷が付与されたものとする。
【００１９】
すると、帯電性粒子１８４が隔壁内液体１８３内をクーロン力で移動し、マイナス電荷が付与された表示電極１１０ａ〜１１０ｄ，１１０ｊが形成された領域においては帯電性粒子１８４が透明電極１７２側に付着し、また、プラス電荷が付与された表示電極１１０ｅ〜１１０ｉ，１１０ｋ〜１１０ｑが形成された領域においては帯電性粒子１８４が表示電極１１０ｅ〜１１０ｉ，１１０ｋ〜１１０ｑ側に付着する。これにより、ディスプレイ部１０２側から観察した場合、図６（ａ）に示すように、表示電極１１０ｅ〜１１０ｉ，１１０ｋ〜１１０ｑ側に帯電性粒子１８４が付着した領域が着色された状態に見え、また、透明電極１７２側に帯電性粒子１８４が付着した領域が白色に見え、それにより、表示電極１１０ｅ〜１１０ｉ，１１０ｋ〜１１０ｑのパターンが組み合わされた情報が表現されて見えるようになる。
【００２０】
ここで、表示電極１１０が設けられていない領域においては、表示電極１１０ａ〜１１０ｑに付与された電荷の影響を受けにくいため、隔壁内液体１８３内に分散している帯電性粒子１８４が表示電極１１０と透明電極１７２のいずれにも付着せず、隔壁内液体１８３内に分散したままの状態となる。
【００２１】
そのため、例えば、表示電極１１０ａと表示電極１１０ｂとの境界においては、図６（ｂ）に示すように、透明基板１７１側からの光が絶縁層１４０まで透過し、ディスプレイ部１０２側から観察した場合、絶縁層１４０の色が視認されてしまうこととなる。このため、絶縁層１４０が白色とは異なる色に着色されている場合、図６（ａ）に示すように、その領域に隣接する表示電極１１０ｂ，１１０ｃが情報を表示するための表示電極として選択されていないにも関わらず、表示電極１１０ｂ〜１１０ｄ，１１０ｊによって表現される情報の外形が認識されてしまうという問題点がある。
【００２２】
本発明は、上述したような従来の技術が有する問題点に鑑みてなされたものであって、絶縁層に形成された複数の表示電極に対する所定の電荷の選択的な付与状態に応じた色を外部から視認させることにより情報を表示する場合に、所定の電荷が付与された表示電極による情報のみを明確に視認させることができる表示装置を提供することを目的とする。
【課題を解決するための手段】
【００２３】
上記目的を達成するために本発明は、
絶縁層と、
前記絶縁層の一方の面上に、表示される情報に応じたパターンで形成された複数の情報形成用表示電極と、
前記絶縁層の一方の面上に、前記複数の情報形成用表示電極の周囲に形成された背景用表示電極と、
前記絶縁層の他方の面上に、該絶縁層に形成された導通部を介して前記複数の情報形成用表示電極にそれぞれ接続されて形成され、前記複数の情報形成用表示電極に選択的に所定の電荷を付与するための複数の配線電極と、
前記絶縁層の前記情報形成用表示電極及び前記背景用表示電極が形成された面に積層され、前記複数の情報形成用表示電極に対する前記所定の電荷の選択的な付与状態に応じた色を外部から視認させることによって情報を表示する情報表示層とを有し、
前記絶縁層は、少なくとも前記情報形成用表示電極及び前記背景用表示電極が形成されていない領域が、前記情報表示層の前記背景用表示電極に対向する領域にて視認される色に着色されている。
【００２４】
上記のように構成された本発明においては、絶縁層の一方の面に形成された複数の情報形成用表示電極のうち表示したい情報に応じた情報形成用表示電極に所定の電荷が付与されると、絶縁層の情報形成用表示電極が形成された面に積層された情報表示層において、複数の表示電極に対する所定の電荷の付与状態に応じた色を外部から視認させることにより、表示したい情報が認識されることになる。この際、情報形成用表示電極及び背景用表示電極が形成されていない領域においては、絶縁層の色が認識されることになるが、絶縁層の少なくとも情報形成用表示電極及び背景用表示電極が形成されていない領域が、情報表示層の背景用表示電極に対向する領域にて視認される色に着色されているので、情報形成用表示電極及び背景用表示電極が形成されていない領域においても、情報表示層の背景用表示電極に対向する領域にて視認される色に視認されることとなり、所定の電荷が付与された情報形成用表示電極による情報のみが明確に視認されることになる。
【００２５】
また、このような表示装置の製造方法として、
剥離基材上に前記パターンの形状に導電性材料を塗布することにより前記複数の情報形成用表示電極及び前記背景用表示電極を形成する工程と、
前記複数の情報形成用表示電極及び前記背景用表示電極が形成された剥離基材上に、前記複数の情報形成用表示電極及び前記背景用表示電極のそれぞれの一部の領域を除く全面に絶縁性材料を塗布することにより前記領域に穴部を具備する絶縁層を形成する工程と、
前記絶縁層上に、前記穴部を含む所定のパターンの形状に導電性材料を塗布することにより、前記穴部に前記導電性材料を流し込んで前記導通部を形成するとともに、前記複数の配線電極を形成する工程と、
前記剥離基材を前記情報形成用表示電極、及び前記背景用表示電極及び前記絶縁層から剥離する工程と、
前記絶縁層の前記情報形成用表示電極及び前記背景用表示電極が形成された面に前記情報形成用情報表示層を積層する工程とを有する構成とすれば、剥離基材上にまず情報形成用表示電極及び背景用表示電極を形成し、その後に絶縁層及び配線電極を順次形成し、剥離基材を剥離するので、情報形成用表示電極及び背景用表示電極は凹凸が生じていない剥離基材上にて形成されることとなり、情報形成用表示電極及び背景用表示電極の表面に生じる凹凸量が抑制される。
【発明の効果】
【００２６】
以上説明したように本発明においては、絶縁層の少なくとも情報形成用表示電極及び背景用表示電極が形成されていない領域が、情報表示層の背景用表示電極に対向する領域にて視認される色に着色されている構成としたため、情報形成用表示電極及び背景用表示電極が形成されていない領域においても、情報表示層の背景用表示電極に対向する領域にて視認される色に視認されることとなり、所定の電荷が付与された情報形成用表示電極による情報のみを明確に視認させることができる。
【００２７】
また、その製造方法として、剥離基材上にまず情報形成用表示電極及び背景用表示電極を形成し、その後に絶縁層及び配線電極を順次形成し、剥離基材を剥離し、絶縁層に情報表示層を積層するものにおいては、情報形成用表示電極及び背景用表示電極は凹凸が生じていない剥離基材上にて形成されることとなり、情報形成用表示電極及び背景用表示電極の表面に生じる凹凸量を抑制することができる。それにより、情報形成用表示電極が部分的に欠落しやすくなることがなく、情報形成用表示電極と情報表示層との間に空間が生じることがなく情報表示層に情報を正しく表示させることができる。
【発明を実施するための最良の形態】
【００２８】
以下に、本発明の実施の形態について図面を参照して説明する。
【００２９】
図１は、本発明の表示装置に用いられる表示装置用電極基板の実施の一形態を示す図であり、（ａ）は表面から見た図、（ｂ）は（ａ）に示したＡ−Ａ’断面図である。
【００３０】
本形態における表示装置用電極基板は図１に示すように、一方の面に複数の表示電極１０ａ〜１０ｑが形成され、他方の面に複数の配線電極３０が形成された絶縁層であるレジスト層４０の配線電極３０が形成された面に、保護基材６０が粘着剤５０によって貼着されて構成されている。
【００３１】
表示電極１０ａ〜１０ｑは、レジスト層４０上に、表示される情報に応じたパターンで形成されている。本形態は、この表示電極１０ａ〜１０ｑを用いて数字を表示するものであって、表示電極１０ｂ，１０ｃによって２つのセグメントからなる表示部と、表示電極１０ｄ〜１０ｊによって７つのセグメントからなる表示部と、表示電極１０ｋ〜１０ｑによって７つのセグメントからなる表示部とからなり、この情報形成用表示電極である表示電極１０ｂ〜１０ｑと、表示電極１０ｂ〜１０ｑの周囲に形成されて数字の背景となる背景用表示電極である表示電極１０ａとに対する電荷の付与状態によって、“０”〜“１９９”までの数字を表示することができる。
【００３２】
配線電極３０は、複数の表示電極１０ａ〜１０ｑに選択的に電荷を付与するためのものであって、レジスト層４０の表示電極１０ａ〜１０ｑが形成された面とは反対側の面において、複数の表示電極１０ａ〜１０ｑにそれぞれ対向する領域から所定のパターンを有して延び、複数の表示電極１０ａ〜１０ｑに選択的に電荷を付与するための制御部（不図示）との接続部分まで形成されている。
【００３３】
また、レジスト層４０には、表示電極１０ａ〜１０ｑのそれぞれに対応して、配線電極３０と接続されるための導通部２０が設けられており、表示電極１０ａ〜１０ｑはそれぞれこの導通部２０を介して配線電極３０と接続されている。この導通部２０は、レジスト層４０に設けられた穴部内に導電性材料が流れ込むことにより形成される。また、レジスト層４０は、白色に着色されている。
【００３４】
以下に、上記のように構成された表示装置用電極基板１を用いた本発明の表示装置である電子ペーパーについて説明する。
【００３５】
図２は、本発明の表示装置の実施の一形態である、図１に示した表示装置用電極基板１を用いた電子ペーパーの一例を示す図であり、その断面を示す。
【００３６】
本形態は図２に示すように、図１に示した表示装置用電極基板１の表示電極１０ａ〜１０ｑが形成された面に情報表示層であるディスプレイ部２が積層されて構成されている。
【００３７】
ディスプレイ部２は、ガラス等からなる透明基板７１の一方の面に透明電極（例えば、ＩＴＯ）７２が形成されてなる透明導電膜基板７０と、枠材８１及び隔壁８２と、これら枠材８１及び隔壁８２で囲まれた領域に収容された隔壁内液体８３とから構成されており、隔壁内液体８３には、帯電性粒子８４が分散している。
【００３８】
また、この隔壁８２によって囲まれる領域は、表示電極１０ａ〜１０ｑの大きさよりも小さくなっている。
【００３９】
そして、ディスプレイ部２と表示装置用電極基板１とは、透明電極７２と表示電極１０ａ〜１０ｑとが、枠材８１及び隔壁８２で囲まれた領域に収容された隔壁内液体８３を介して対向するように積層されている。
【００４０】
以下に、上記のように構成された電子ペーパーの動作について説明する。
【００４１】
図３は、図２に示した電子ペーパーの動作を説明するための図であり、（ａ）は断面を示す図、（ｂ）は表示される情報を示す図である。
【００４２】
図２に示した電子ペーパーにて情報を表示する場合、例えば、透明電極７２をＧＮＤ電位とし、また、レジスト層４０に形成された配線電極３０のうち、透明導電膜基板７０上に表示したい情報に対応する配線電極３０をプラス電位とするとともに、その他の配線電極３０をマイナス電位とする。これにより、表示電極１０ａ〜１０ｑのうち、プラス電位となった配線電極３０に導通部２０を介して接続された表示電極に所定の電荷となるプラスの電荷が付与されることになり、また、マイナス電位となった配線電極３０に導通部２０を介して接続された表示電極にマイナスの電荷が付与されることになる。なお、本形態においては、表示電極１０ａ〜１０ｄ，１０ｊにマイナスの電荷が付与され、表示電極１０ｅ〜１０ｉ，１０ｋ〜１０ｑにプラスの電荷が付与されたものとする。
【００４３】
すると、枠材８１及び隔壁８２で囲まれた領域に収容された隔壁内液体８３が誘電性物質からなり、帯電性粒子８４がマイナス電位に帯電しているものであることから、図３（ａ）に示すように、帯電性粒子８４が隔壁内液体８３内をクーロン力で移動し、マイナス電荷が付与された表示電極１０ａ〜１０ｄ，１０ｊが形成された領域においては帯電性粒子８４が透明電極７２側に付着し、また、プラス電荷が付与された表示電極１０ｅ〜１０ｉ，１０ｋ〜１０ｑが形成された領域においては帯電性粒子８４が表示電極１０ｅ〜１０ｉ，１０ｋ〜１０ｑ側に付着する。
【００４４】
そして、隔壁内液体８３が染料または顔料で着色されており、帯電性粒子８４が高屈折率の光散乱成分を含むため、ディスプレイ２側から観察した場合、図３（ｂ）に示すように、表示電極１０ｅ〜１０ｉ，１０ｋ〜１０ｑ側に帯電性粒子８４が付着した領域が着色された状態に見え、また、透明電極７２側に帯電性粒子８４が付着した領域が白色に見え、それにより、表示電極１０ｅ〜１０ｉ，１０ｋ〜１０ｑのパターンが組み合わされた情報が表現されて見えるようになる。
【００４５】
この際、枠材８１及び隔壁８２で囲まれた領域に収容された隔壁内液体８３のうち、表示電極１０ａ〜１０ｑに対向しない領域においては、表示電極１０ａ〜１０ｑに付与された電荷の影響を受けにくいため、隔壁内液体８３に分散している帯電性粒子８４が表示電極１０ａ〜１０ｑと透明電極７２のいずれにも付着せず、隔壁内液体８３内に分散したままの状態となる。そのため、その領域においては、ディスプレイ部２側から観察した場合、透明基板７１側からの光が絶縁層４０まで透過し、絶縁層４０の色が視認されることになる。ところが、本形態においては、絶縁層４０が白色に着色されているため、図３（ｂ）に示すように、表示電極１０ａ〜１０ｑに対向しない領域は、表示電極１０ａ〜１０ｄ，１０ｊが形成された領域、すなわち、透明電極７２側に帯電性粒子８４が付着して白色に視認される領域との色彩的な差異が目立たなくなり、それにより、プラス電荷が付与された表示電極１０ｅ〜１０ｉ，１０ｋ〜１０ｑによって表現される情報“２８”のみが明確に認識できるようになる。
【００４６】
このように、本形態における電子ペーパーは、ディスプレイ部２として、隔壁内液体８３に分散した帯電性粒子８４が、表示電極１０ａ〜１０ｑに対する電圧印加によって表示電極１０ａ〜１０ｑ側または透明電極７２側に移動して表示が切り替わる垂直型電気泳動方式の薄型表示部材を例に挙げて説明したが、ディスプレイ部２としては、表示電極１０ａ〜１０ｑと透明電極７２との間における相転移による２つの異なる分子配向を利用して表示を行うコレステリック液晶方式や、透明電極７２に染料を吸着させ、表示電極１０ａ〜１０ｑと透明電極７２とから電解質溶液を通して電圧を印加し、有機染料を電気的に可逆的に酸化／還元状態にすることにより発色させるエレクトロクロミック方式や、ＥＬ（Electro Luminescence）等、電圧印加によって表示が切り替わる薄型表示部材であれば適用することができる。
【００４７】
以下に、上述した電子ペーパーの製造方法について説明する。
【００４８】
図４は、図１及び図２に示した電子ペーパーの製造方法を説明するための図である。
【００４９】
まず、ＰＰやＰＥＴ、あるいはＰＥＴに剥離加工が施されたものからなる剥離基材である剥離フィルム９０上に、銀ペーストやカーボンペースト等の導電性ペーストを用いて、透明導電膜基板７０に表示される情報に応じたパターンの形状に５μｍ以上の厚さでスクリーン印刷を施し、複数の表示電極１０ａ〜１０ｑを形成する（図４（ａ））。
【００５０】
次に、表示電極１０ａ〜１０ｑが形成された剥離フィルム９０上に、表示電極１０ａ〜１０ｑのそれぞれの一部の領域を除く全面に、白色に着色された絶縁性レジストを１５μｍ以上の厚さで印刷することにより穴部４１を具備するレジスト層４０を形成する（図４（ｂ））。なお、穴部４１は、後に導電性ペーストが流れ込むことにより導通部２０となる領域であって、表示電極１０ａ〜１０ｑのそれぞれについて、少なくとも１箇所ずつ設けられている。
【００５１】
次に、銀ペーストやカーボンペースト等の導電性ペーストを用いて、レジスト層４０上に、レジスト層４０が形成されていない領域、すなわち、導通部２０となる領域を含んで、複数の表示電極１０ａ〜１０ｑにそれぞれ対向する領域から、複数の表示電極１０ａ〜１０ｑに選択的に電荷を付与するための制御部との接続部分まで所定のパターンを有して延びるような形状に５μｍ以上の厚さでスクリーン印刷を施し、複数の配線電極３０を形成する（図４（ｃ））。この際、レジスト層４０が形成されていない穴部４１においては、スクリーン印刷による導電性ペーストが流れ込み、導通部２０が形成される。
【００５２】
次に、レジスト層４０の配線電極３０が形成された面の全面に、保護基材６０を粘着剤５０によって貼着する（図４（ｄ））。
【００５３】
次に、剥離フィルム９０を表示電極１０ａ〜１０ｑ及びレジスト層４０から剥離し、表示装置用電極基板１を完成させる（図４（ｅ））。
【００５４】
上記のようにして製造された表示装置用電極基板１においては、表示電極１０ａ〜１０ｑが形成された面の凹凸を±１μｍ未満に抑えることができ、表示電極１０ａ〜１０ｑが部分的に欠落しやすくなることがない。
【００５５】
その後、表示装置用電極基板１の表示電極１０ａ〜１０ｑが形成された面側に、透明電極７２と表示電極１０ａ〜１０ｑとが、枠材８１及び隔壁８２で囲まれた領域に収容された隔壁内液体８３を介して対向するようにディスプレイ部２を薄い接着層を設ける等して積層、接着し、電子ペーパーを完成させる（図４（ｆ））。
【００５６】
上記のように製造された電子ペーパーにおいては、表示電極１０ａ〜１０ｑとディスプレイ部２との間に空間が生じることがなく、表示電極１０ａ〜１０ｑに付与された電荷に応じた情報を透明導電膜基板７０上に正しく表示させることができるとともに、表示電極１０ａ〜１０ｑのうちプラス電荷が付与された表示電極１０ｅ〜１０ｉ，１０ｋ〜１０ｑによって表現される情報のみを明確に認識させることができる。
【００５７】
なお、本形態においては、配線電極３０が、レジスト層４０の表示電極１０ａ〜１０ｑが形成された面とは反対側の面において、導通部２０となる領域を含んで、複数の表示電極１０ａ〜１０ｑにそれぞれ対向する領域から、複数の表示電極１０ａ〜１０ｑに選択的に電荷を付与するための制御部との接続部分まで所定のパターンを有して延びるような形状に形成されているが、レジスト層４０の表示電極１０ａ〜１０ｑが形成された面とは反対側の面の配線とは無関係の領域にもベタ状態で形成されていてもよい。
【００５８】
また、本形態においては、白色に着色された絶縁性レジストによって白色のレジスト層４０を形成しているが、本発明はこれに限らず、レジスト層４０のうち、少なくとも表示電極１０ａ〜１０ｑが形成されていない領域のみが白色に着色されていればよい。
【００５９】
また、本形態においては、表示電極１０ａ〜１０ｑのうち、表示したい情報に応じた表示電極１０ｅ〜１０ｉ，１０ｋ〜１０ｑにプラスの電荷を付与し、他の表示電極１０ａ〜１０ｄ，１０ｊにマイナスの電荷を付与し、それにより、ディスプレイ部２側から観察した場合、表示電極１０ｅ〜１０ｉ，１０ｋ〜１０ｑに対向する領域が着色された状態に視認され、また、１０ａ〜１０ｄ，１０ｊに対向する領域が白色に視認されているが、その逆に、表示電極１０ａ〜１０ｑのうち、表示したい情報に応じた表示電極１０ｅ〜１０ｉ，１０ｋ〜１０ｑにマイナスの電荷を付与し、他の表示電極１０ａ〜１０ｄ，１０ｊにプラスの電荷を付与し、それにより、ディスプレイ部２側から観察した場合、表示電極１０ｅ〜１０ｉ，１０ｋ〜１０ｑに対向する領域が白色に視認され、また、表示電極１０ａ〜１０ｄ，１０ｊに対向する領域が着色された状態に視認されるような構成としてもよい。その場合、レジスト層４０は、表示電極１０ａ〜１０ｄ，１０ｊに対向する領域にて視認される色に着色されていることになる。なお、電子ペーパーが、電源を切断した場合でも表示内容を保持できるという特徴を有するものであることから、背景用表示電極となる表示電極１０ａにおいては、上述したように、情報を表示するために他の表示電極１０ｂ〜１０ｑに選択的に所定の電荷が付与される際に配線電極３０を介して所定の電荷とは逆の電荷が付与される場合に限らず、他の表示電極１０ｂ〜１０ｑに対して選択的に所定の電荷が付与される前に、所定の電荷とは逆の電荷が予め付与されている場合もある。いずれの場合においても、本発明においては、レジスト層４０が、ディスプレイ部２の表示電極１０ａに対向する領域にて視認される色に着色されていればよい。
【図面の簡単な説明】
【００６０】
【図１】本発明の表示装置に用いられる表示装置用電極基板の実施の一形態を示す図であり、（ａ）は表面から見た図、（ｂ）は（ａ）に示したＡ−Ａ’断面図である。
【図２】本発明の表示装置の実施の一形態である、図１に示した表示装置用電極基板を用いた電子ペーパーの一例を示す図である。
【図３】図２に示した電子ペーパーの動作を説明するための図であり、（ａ）は断面を示す図、（ｂ）は表示される情報を示す図である。
【図４】図１及び図２に示した電子ペーパーの製造方法を説明するための図である。
【図５】一般的な電子ペーパーの積層構造を示す図である。
【図６】図５に示した電子ペーパーの表示状態を説明するための図であり、（ａ）は表示状態を示す図、（ｂ）は（ａ）に示した２つの表示電極の境界部分の断面図である。
【符号の説明】
【００６１】
１    表示装置用電極基板
２    ディスプレイ部
１０ａ〜１０ｑ    表示電極
２０    導通部
３０    配線電極
４０    レジスト層
４１    穴部
５０    粘着剤
６０    保護基材
７０    透明導電膜基板
７１    透明基板
７２    透明電極
８１    枠材
８２    隔壁
８３    隔壁内液体
８４    帯電性粒子
９０    剥離フィルム
【図１】
2009133885.tif 000003
【図２】
2009133885.tif 000004
【図３】
2009133885.tif 000005
【図４】
2009133885.tif 000006
【図５】
2009133885.tif 000007
【図６】
2009133885.tif 000008